【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】
式Ｉ
【化１】
2002535416.tif 000001
[但し
Ｍ1が、周期表の第ＩＶｂ族の元素を表し、Ｒ1およびＲ2が、同一かまたは異なっていてもよく、各々水素原子、Ｃ1〜Ｃ10アルキル基、Ｃ1〜Ｃ10アルコキシ基、Ｃ6〜Ｃ20アリール基、Ｃ6〜Ｃ10アリールオキシ基、Ｃ2〜Ｃ10アルケニル基、ＯＨ基、Ｎ（Ｒ12）2基（但しＲ12がＣ1〜Ｃ10アルキル基またはＣ6〜Ｃ14アリール基を表す。）またはハロゲン原子を表し、
Ｒ3、Ｒ4、Ｒ6、Ｒ7、Ｒ8、Ｒ3'、Ｒ4'が、同一かまたは異なっていてもよく、各々水素原子、１から４０個の炭素原子を有する炭化水素基（部分的にハロゲン化されていてもハロゲン化されていても、直鎖、環式であってもまたは分枝されていてもよい）、Ｓｉ（Ｒ13）3基、Ｎ（Ｒ13）2基、ＳＲ13基、ＯＲ13基を表し、但しＲ13はＲ3は水素ではない条件でＲ4と同義であり、Ｒ3'およびＲ4'が結合して環を形成してもよく、および
Ｒ5が、インデニルとの結合位置に対してパラ位に置換基Ｒ14を有するＣ6〜Ｃ40アリール基、
【化２】
2002535416.tif 000002
を表し、
Ｒ14が、ハロゲン原子Ｆ、ＣｌまたはＢｒ、Ｃ1〜Ｃ20アルキル基、Ｃ2〜Ｃ20アルケニル基、Ｃ6〜Ｃ24アリール基、Ｃ7〜Ｃ40アリールアルキル基、Ｃ7〜Ｃ40アルキルアリール基、Ｃ8〜Ｃ40アリールアルケニル基（但し炭化水素基が、フッ素、塩素、または臭素によりハロゲン化されていても、部分的にハロゲン化されていてもよい。）、−Ｎ（Ｒ15）2、−Ｐ（Ｒ15）2、−ＳＲ15、−ＯＲ15、−Ｓｉ（Ｒ15）3、−[Ｎ（Ｒ15）3]+または−[Ｐ（Ｒ15）3]+を表し、ただしＲ15はＲ4と同義であり、
Ｒ16が、同一の指数を持っているにもかかわらず同一かまたは異なっていてもよく、水素を表すかＲ14と同義であり、いずれの２個の隣接基Ｒ16が結合して環を形成してもよく、または１個以上のＲ16基がＲ6またはＲ4および／またはＲ14とともに環を形成してもよく、ただし、少なくとも１個のＲ16が水素と異なる場合にＲ14が水素であってもよく、
Ｒ9が架橋基
【化３】
2002535416.tif 000003
を表し、
但し、 Ｒ10、Ｒ11が、同じ指数を持っているにもかかわらず同一かまたは異なっていてもよく、各々水素原子、ハロゲン原子、ヘテロ原子を含むＣ1〜Ｃ40炭化水素基、Ｃ1〜Ｃ40炭化水素基、−Ｎ（Ｒ17）2、−Ｐ（Ｒ17）2、−ＳＲ17、ＯＲ17、−Ｓｉ（Ｒ17）3、−[Ｎ（Ｒ17）3]+または−[Ｐ（Ｒ17）3]+を表し、但しＲ17はＲ4と同義であるか、またはＲ10およびＲ11が、それらが結合する原子とともに１個以上の環を形成し、
ｘが、０から１８の整数を表し、
Ｍ2が、ケイ素、ゲルマニウムまたはスズを表し、
Ｒ9は、式Ｉの２つの単位を互いに結合させてもよく、
Ｒaはがシクロペンタジエニル環と結合して共に、以下の分子フラグメントを形成する【化４】
2002535416.tif 000004
【化５】
2002535416.tif 000005
｛但し、ヘテロ原子基Ｘは同一かまたは異なっていてもよく、ＮＲλ、ＰＲλ、Ｎ、Ｏ、Ｓを表し、基Ｒδ、Ｒε、ＲζよびＲλは水素またはＲ3と同義であり、ＲαはＲ3'と同義であり、ＲβはＲ4'と同義である。｝］
で表される化合物。
【請求項２】
Ｒ3、Ｒ4、Ｒ6、Ｒ7、Ｒ8、Ｒ3'、Ｒ4'の定義中に記載されている炭化水素が、Ｃ1〜Ｃ10アルキル基、Ｃ2〜Ｃ10アルケニル基、Ｃ6〜Ｃ20アリール基、Ｃ7〜Ｃ40アリールアルキル基、Ｃ7〜Ｃ40アルキルアリール基またはＣ8〜Ｃ40アリールアルケニル基を表す、請求項１に記載の式Ｉの化合物。
【請求項３】
Ｒ10、Ｒ11の定義中に記載されている炭素を含む基が、Ｃ1〜Ｃ20アルキル基、Ｃ1〜Ｃ10フルオロアルキル基、Ｃ1〜Ｃ10アルコキシ基、Ｃ6〜Ｃ14アリール基、Ｃ6〜Ｃ10フルオロアリール基、Ｃ6〜Ｃ10アリールオキシ基、Ｃ2〜Ｃ10アルケニル基、Ｃ7〜Ｃ40アリールアルキル基、Ｃ7〜Ｃ40アルキルアリール基またはＣ8〜Ｃ40アリールアルケニル基を表す、請求項１または２に記載の式Ｉの化合物。
【請求項４】
Ｍ1がジルコニウム、ハフニウムまたはチタンを表し、
Ｒ1とＲ2が同一で、メチル、ジメチルアミド、ジベンジルまたは塩素を表し、
Ｒ3とＲ3'が同一かまたは異なっていてもよく、各々Ｃ1〜Ｃ10アルキル基、Ｃ2〜Ｃ10アルケニル基またはＣ7〜Ｃ40アルキルアリール基を表し、
Ｒ9が、Ｒ10Ｒ11Ｓｉ＝、Ｒ10Ｒ11Ｇｅ＝、Ｒ10Ｒ11Ｃ＝、または−（Ｒ10Ｒ11Ｃ−ＣＲ10Ｒ11）−を表し、但し、Ｒ10とＲ11は同一かまたは異なっていてもよく、各々水素原子、Ｃ1〜Ｃ20炭化水素基、特にＣ1〜Ｃ10アルキル基またはＣ6〜Ｃ14アリール基を表し、
Ｒ5が、インデニル環の結合位置にたいしてパラ位に置換基Ｒ14を有している、Ｃ6〜Ｃ20アリール基を表し、
Ｒ14がＣ1〜Ｃ10アルキル基、Ｃ2〜Ｃ10アルケニル基、Ｃ6〜Ｃ18アリール基、Ｃ7〜Ｃ20アリールアルキル基、Ｃ7〜Ｃ20アルキルアリール基、Ｃ8〜Ｃ20アリールアルケニル基（但し、炭化水素基が、フッ素および／または塩素によりハロゲン化されていても、部分的にハロゲン化されていてもよい。）、−Ｎ（Ｒ15）2、−Ｐ（Ｒ15）2、−ＳＲ15、−Ｓｉ（Ｒ15）3、−[Ｎ（Ｒ15）3]+または−[Ｐ（Ｒ15）3]+を表し、ただしＲ15はＲ4と同義であり、Ｒ16は同一かまたは異なっていてもよく、各々フッ素、塩素、水素、Ｃ1〜Ｃ10アルキル基（但し、フッ素および／または塩素によりハロゲン化されているか、部分的にハロゲン化されていてもよい。）、Ｃ6〜Ｃ18アリール基またはＣ2〜Ｃ10アルケニル基を表し、または隣接したＲ16基と共に環を形成していてもよい、請求項１から３のいずれか１項に記載の式Ｉの化合物。
【請求項５】
Ｍ1がジルコニウムを表し、
Ｒ1とＲ2が同一でありメチルまたは塩素を表し、
Ｒ9が、Ｒ10Ｒ11Ｓｉ＝、Ｒ10Ｒ11Ｃ＝、−（Ｒ10Ｒ11Ｃ−ＣＲ10Ｒ11）−を表し、但しＲ10とＲ11は同一かまたは異なっていてもよく、水素、フェニル、メチル、エチルを表し、およびＲ4、Ｒ6、Ｒ7、Ｒ8、Ｒ4'が水素を表し、
Ｒ5が、Ｃ6〜Ｃ20アリール基、特にフェニル、ナフチルまたはアントラセニル基（ただし、インデニル環結合位置に対してパラ位に置換基Ｒ14を有しており、Ｒ14がＳｉＲ153基を表し、Ｒ15はＲ4と同義である。）、または直鎖のＣ1〜Ｃ10アルキル基、分枝のＣ3〜Ｃ10アルキル基、Ｃ2〜Ｃ10アルケニル基、または分枝のＣ7〜Ｃ20アルキルアリール基を表し、但し、炭化水素基は、フッ素または塩素によりハロゲン化されていても、部分的にハロゲン化されていてもよい、請求項１から４のいずれかに記載の式Ｉの化合物。
【請求項６】
Ｍ1Ｒ1Ｒ2が、ＺｒＣｌ2、Ｚｒ（ＣＨ3）2を表し Ｒ3およびＲ3'が、メチル、エチル、ｎ−プロピル、イソプロピル、イソブチル、ｎ−ブチル、ｓ−ブチルを表し、 Ｒ4、Ｒ8、Ｒ4'が水素を表し、
Ｒ6およびＲ7が、水素、Ｃ1〜Ｃ4アルキル基、Ｃ6〜Ｃ10アリール基を表し、 Ｒ5が、ｐ−メチルフェニル、ｐ−エチルフェニル、ｐ−ｎ−プロピルフェニル、ｐ−イソプロピルフェニル、ｐ−ｎ−ブチルフェニル、ｐ−tert−ブチルフェニル、ｐ−ｓ−ブチルフェニル、ｐ−ペンチルフェニル、ｐ−ヘキシルフェニル、ｐ−シクロヘキシルフェニル、ｐ−トリメチルシリルフェニル、ｐ−アダマンチルフェニル、ｐ−（Ｆ3Ｃ）3Ｃ−フェニルを表し、
Ｒ9が、ジメチルシランジイル、フェニル（メチル）シランジイル、ジフェニルシランジイル、ジメチルゲルマンジイル、エチリデン、１−メチルエチリデン、１，１−ジメチルエチリデン、１，２−ジメチルエチリデン、１，１，２，２−テトラメチルエチリデン、ジメチルメチリデン、フェニル（メチル）メチリデン、ジフェニルメチリデンを表し、
Ｒaが、２−アルキル−４−アザペンタレン、２−アルキル−５−アザペンタレン、２−アルキル−６−アザペンタレン、２−アルキル−Ｎ−アリール−４−アザペンタレン、２−アルキル−Ｎ−アリール−５−アザペンタレン、２−アルキル−Ｎ−アリール−６−アザペンタレン、２，５−ジアルキル−４−アザペンタレン、２，５−ジアルキル−６−アザペンタレン、２，５−ジアルキル−Ｎ−アリール−４−アザペンタレン、２，５−ジアルキル−Ｎ−アリール−６−アザペンタレン、２−アルキル−４−ホスファペンタレン、２−アルキル−５−ホスファペンタレン、２−アルキル−６−ホスファペンタレン、２−アルキル−Ｐ−アリール−４−ホスファペンタレン、２−アルキル−Ｐ−アリール−５−ホスファペンタレン、２−アルキル−Ｐ−アリール−６−ホスファペンタレン、２，５−ジアルキル−４−ホスファペンタレン、２，５−ジアルキル−６−ホスファペンタレン、２，５−ジアルキル−Ｐ−アリール−４−ホスファペンタレン、２，５−ジアルキル−Ｐ−アリール−６−ホスファペンタレン、２−アルキル−４−チアペンタレン、２−アルキル−５−チアペンタレン、２−アルキル−６−チアペンタレン、２，５−ジアルキル−４−チアペンタレン、２，５−ジアルキル−６−チアペンタレン、２−アルキル−４−オキサペンタレン、２−アルキル−５−オキサペンタレン、２−アルキル−６−オキサペンタレン、２，５−ジアルキル−４−オキサペンタレンまたは２，５−ジアルキル−６−オキサペンタレンを表す、請求項１から５のいずれか１項に記載の式Ｉの化合物。
【請求項７】
以下に示す請求項１から６のいずれか１項に記載の式Ｉの化合物。
ジメチルシランジイル（２−メチル−４−アザペンタレン）（２−メチル−４−（４´−メチルフェニルインデニル）ジルコニウムジクロリド、 ジメチルシランジイル（２−メチル−５−アザペンタレン）（２−メチル−４−（４´−メチルフェニルインデニル）ジルコニウムジクロリド、 ジメチルシランジイル（２−メチル−６−アザペンタレン）（２−メチル−４−（４´−メチルフェニルインデニル）ジルコニウムジクロリド、 ジメチルシランジイル（２−メチル−Ｎ−フェニル−４−アザペンタレン）（２−メチル−４−（４´−メチルフェニルインデニル）ジルコニウムジクロリド、 ジメチルシランジイル（２−メチル−Ｎ−フェニル−５−アザペンタレン）（２−メチル−４−（４´−メチルフェニルインデニル）ジルコニウムジクロリド、 ジメチルシランジイル（２−メチル−Ｎ−フェニル−６−アザペンタレン）（２−メチル−４−（４´−メチルフェニルインデニル）ジルコニウムジクロリド、 ジメチルシランジイル（２，５−ジメチル−４−アザペンタレン）（２−メチル−４−（４´−メチルフェニルインデニル）ジルコニウムジクロリド、 ジメチルシランジイル（２，５−ジメチル−６−アザペンタレン）（２−メチル−４−（４´−メチルフェニルインデニル）ジルコニウムジクロリド、 ジメチルシランジイル（２，５−ジメチル−Ｎ−フェニル−４−アザペンタレン）（２−メチル−４−（４´−メチルフェニルインデニル）ジルコニウムジクロリド、 ジメチルシランジイル（２，５−ジメチル−Ｎ−フェニル−６−アザペンタレン）（２−メチル−４−（４´−メチルフェニルインデニル）ジルコニウムジクロリド、 ジメチルシランジイル（２−メチル−４−チアペンタレン）（２−メチル−４−（４´−メチルフェニルインデニル）ジルコニウムジクロリド、 ジメチルシランジイル（２−メチル−５−チアペンタレン）（２−メチル−４−（４´−メチルフェニルインデニル）ジルコニウムジクロリド、 ジメチルシランジイル（２−メチル−６−チアペンタレン）（２−メチル−４−（４´−メチルフェニルインデニル）ジルコニウムジクロリド、 ジメチルシランジイル（２，５−ジメチル−４−チアペンタレン）（２−メチル−４−（４´−メチルフェニルインデニル）ジルコニウムジクロリド、 ジメチルシランジイル（２，５−ジメチル−６−チアペンタレン）（２−メチル−４−（４´−メチルフェニルインデニル）ジルコニウムジクロリド、 ジメチルシランジイル（２−メチル−４−オキサペンタレン）（２−メチル−４−（４´−メチルフェニルインデニル）ジルコニウムジクロリド、 ジメチルシランジイル（２−メチル−５−オキサペンタレン）（２−メチル−４−（４´−メチルフェニルインデニル）ジルコニウムジクロリド、 ジメチルシランジイル（２−メチル−６−オキサペンタレン）（２−メチル−４−（４´−メチルフェニルインデニル）ジルコニウムジクロリド、 ジメチルシランジイル（２，５−ジメチル−４−オキサペンタレン）（２−メチル−４−（４´−メチルフェニルインデニル）ジルコニウムジクロリド、 ジメチルシランジイル（２，５−ジメチル−６−オキサペンタレン）（２−メチル−４−（４´−メチルフェニルインデニル）ジルコニウムジクロリド、 ジメチルシランジイル（２−メチル−４−アザペンタレン）（２−メチル−４−（４´−エチルフェニルインデニル）ジルコニウムジクロリド、 ジメチルシランジイル（２−メチル−５−アザペンタレン）（２−メチル−４−（４´−エチルフェニルインデニル）ジルコニウムジクロリド、 ジメチルシランジイル（２−メチル−６−アザペンタレン）（２−メチル−４−（４´−エチルフェニルインデニル）ジルコニウムジクロリド、 ジメチルシランジイル（２−メチル−Ｎ−フェニル−４−アザペンタレン）（２−メチル−４−（４´−エチルフェニルインデニル）ジルコニウムジクロリド、 ジメチルシランジイル（２−メチル−Ｎ−フェニル−５−アザペンタレン）（２−メチル−４−（４´−エチルフェニルインデニル）ジルコニウムジクロリド、 ジメチルシランジイル（２−メチル−Ｎ−フェニル−６−アザペンタレン）（２−メチル−４−（４´−エチルフェニルインデニル）ジルコニウムジクロリド、 ジメチルシランジイル（２，５−ジメチル−４−アザペンタレン）（２−メチル−４−（４´−エチルフェニルインデニル）ジルコニウムジクロリド、 ジメチルシランジイル（２，５−ジメチル−６−アザペンタレン）（２−メチル−４−（４´−エチルフェニルインデニル）ジルコニウムジクロリド、 ジメチルシランジイル（２，５−ジメチル−Ｎ−フェニル−４−アザペンタレン）（２−メチル−４−（４´−エチルフェニルインデニル）ジルコニウムジクロリド、 ジメチルシランジイル（２，５−ジメチル−Ｎ−フェニル−６−アザペンタレン）（２−メチル−４−（４´−エチルフェニルインデニル）ジルコニウムジクロリド、 ジメチルシランジイル（２−メチル−４−チアペンタレン）（２−メチル−４−（４´−エチルフェニルインデニル）ジルコニウムジクロリド、 ジメチルシランジイル（２−メチル−５−チアペンタレン）（２−メチル−４−（４´−エチルフェニルインデニル）ジルコニウムジクロリド、 ジメチルシランジイル（２−メチル−６−チアペンタレン）（２−メチル−４−（４´−エチルフェニルインデニル）ジルコニウムジクロリド、 ジメチルシランジイル（２，５−ジメチル−４−チアペンタレン）（２−メチル−４−（４´−エチルフェニルインデニル）ジルコニウムジクロリド、 ジメチルシランジイル（２，５−ジメチル−６−チアペンタレン）（２−メチル−４−（４´−エチルフェニルインデニル）ジルコニウムジクロリド、 ジメチルシランジイル（２−メチル−４−オキサペンタレン）（２−メチル−４−（４´−エチルフェニルインデニル）ジルコニウムジクロリド、 ジメチルシランジイル（２−メチル−５−オキサペンタレン）（２−メチル−４−（４´−エチルフェニルインデニル）ジルコニウムジクロリド、 ジメチルシランジイル（２−メチル−６−オキサペンタレン）（２−メチル−４−（４´−エチルフェニルインデニル）ジルコニウムジクロリド、 ジメチルシランジイル（２，５−ジメチル−４−オキサペンタレン）（２−メチル−４−（４´−エチルフェニルインデニル）ジルコニウムジクロリド、 ジメチルシランジイル（２，５−ジメチル−６−オキサペンタレン）（２−メチル−４−（４´−エチルフェニルインデニル）ジルコニウムジクロリド、 ジメチルシランジイル（２−メチル−４−アザペンタレン）（２−メチル−４−（４´−ｎ−プロピルフェニルインデニル）ジルコニウムジクロリド、 ジメチルシランジイル（２−メチル−５−アザペンタレン）（２−メチル−４−（４´−ｎ−プロピルフェニルインデニル）ジルコニウムジクロリド、 ジメチルシランジイル（２−メチル−６−アザペンタレン）（２−メチル−４−（４´−ｎ−プロピルフェニルインデニル）ジルコニウムジクロリド、 ジメチルシランジイル（２−メチル−Ｎ−フェニル−４−アザペンタレン）（２−メチル−４−（４´−ｎ−プロピルフェニルインデニル）ジルコニウムジクロリド、 ジメチルシランジイル（２−メチル−Ｎ−フェニル−５−アザペンタレン）（２−メチル−４−（４´−ｎ−プロピルフェニルインデニル）ジルコニウムジクロリド、 ジメチルシランジイル（２−メチル−Ｎ−フェニル−６−アザペンタレン）（２−メチル−４−（４´−ｎ−プロピルフェニルインデニル）ジルコニウムジクロリド、 ジメチルシランジイル（２，５−ジメチル−４−アザペンタレン）（２−メチル−４−（４´−ｎ−プロピルフェニルインデニル）ジルコニウムジクロリド、 ジメチルシランジイル（２，５−ジメチル−６−アザペンタレン）（２−メチル−４−（４´−ｎ−プロピルフェニルインデニル）ジルコニウムジクロリド、 ジメチルシランジイル（２，５−ジメチル−Ｎ−フェニル−４−アザペンタレン）（２−メチル−４−（４´−ｎ−プロピルフェニルインデニル）ジルコニウムジクロリド、 ジメチルシランジイル（２，５−ジメチル−Ｎ−フェニル−６−アザペンタレン）（２−メチル−４−（４´−ｎ−プロピルフェニルインデニル）ジルコニウムジクロリド、 ジメチルシランジイル（２−メチル−４−チアペンタレン）（２−メチル−４−（４´−ｎ−プロピルフェニルインデニル）ジルコニウムジクロリド、 ジメチルシランジイル（２−メチル−５−チアペンタレン）（２−メチル−４−（４´−ｎ−プロピルフェニルインデニル）ジルコニウムジクロリド、 ジメチルシランジイル（２−メチル−６−チアペンタレン）（２−メチル−４−（４´−ｎ−プロピルフェニルインデニル）ジルコニウムジクロリド、 ジメチルシランジイル（２，５−ジメチル−４−チアペンタレン）（２−メチル−４−（４´−ｎ−プロピルフェニルインデニル）ジルコニウムジクロリド、 ジメチルシランジイル（２，５−ジメチル−６−チアペンタレン）（２−メチル−４−（４´−ｎ−プロピルフェニルインデニル）ジルコニウムジクロリド、 ジメチルシランジイル（２−メチル−４−オキサペンタレン）（２−メチル−４−（４´−ｎ−プロピルフェニルインデニル）ジルコニウムジクロリド、 ジメチルシランジイル（２−メチル−５−オキサペンタレン）（２−メチル−４−（４´−ｎ−プロピルフェニルインデニル）ジルコニウムジクロリド、 ジメチルシランジイル（２−メチル−６−オキサペンタレン）（２−メチル−４−（４´−ｎ−プロピルフェニルインデニル）ジルコニウムジクロリド、 ジメチルシランジイル（２，５−ジメチル−４−オキサペンタレン）（２−メチル−４−（４´−ｎ−プロピルフェニルインデニル）ジルコニウムジクロリド、 ジメチルシランジイル（２，５−ジメチル−６−オキサペンタレン）（２−メチル−４−（４´−ｎ−プロピルフェニルインデニル）ジルコニウムジクロリド、 ジメチルシランジイル（２−メチル−４−アザペンタレン）（２−メチル−４−（４´−イソプロピルフェニルインデニル）ジルコニウムジクロリド、 ジメチルシランジイル（２−メチル−５−アザペンタレン）（２−メチル−４−（４´−イソプロピルフェニルインデニル）ジルコニウムジクロリド、 ジメチルシランジイル（２−メチル−６−アザペンタレン）（２−メチル−４−（４´−イソプロピルフェニルインデニル）ジルコニウムジクロリド、 ジメチルシランジイル（２−メチル−Ｎ−フェニル−４−アザペンタレン）（２−メチル−４−（４´−イソプロピルフェニルインデニル）ジルコニウムジクロリド、 ジメチルシランジイル（２−メチル−Ｎ−フェニル−５−アザペンタレン）（２−メチル−４−（４´−イソプロピルフェニルインデニル）ジルコニウムジクロリド、 ジメチルシランジイル（２−メチル−Ｎ−フェニル−６−アザペンタレン）（２−メチル−４−（４´−イソプロピルフェニルインデニル）ジルコニウムジクロリド、 ジメチルシランジイル（２，５−ジメチル−４−アザペンタレン）（２−メチル−４−（４´−イソプロピルフェニルインデニル）ジルコニウムジクロリド、 ジメチルシランジイル（２，５−ジメチル−６−アザペンタレン）（２−メチル−４−（４´−イソプロピルフェニルインデニル）ジルコニウムジクロリド、 ジメチルシランジイル（２，５−ジメチル−Ｎ−フェニル−４−アザペンタレン）（２−メチル−４−（４´−イソプロピルフェニルインデニル）ジルコニウムジクロリド、 ジメチルシランジイル（２，５−ジメチル−Ｎ−フェニル−６−アザペンタレン）（２−メチル−４−（４´−イソプロピルフェニルインデニル）ジルコニウムジクロリド、 ジメチルシランジイル（２−メチル−４−チアペンタレン）（２−メチル−４−（４´−イソプロピルフェニルインデニル）ジルコニウムジクロリド、 ジメチルシランジイル（２−メチル−５−チアペンタレン）（２−メチル−４−（４´−イソプロピルフェニルインデニル）ジルコニウムジクロリド、 ジメチルシランジイル（２−メチル−６−チアペンタレン）（２−メチル−４−（４´−イソプロピルフェニルインデニル）ジルコニウムジクロリド、 
ジメチルシランジイル（２，５−ジメチル−４−チアペンタレン）（２−メチル−４−（４´−イソプロピルフェニルインデニル）ジルコニウムジクロリド、 ジメチルシランジイル（２，５−ジメチル−６−チアペンタレン）（２−メチル−４−（４´−イソプロピルフェニルインデニル）ジルコニウムジクロリド、 ジメチルシランジイル（２−メチル−４−オキサペンタレン）（２−メチル−４−（４´−イソプロピルフェニルインデニル）ジルコニウムジクロリド、 ジメチルシランジイル（２−メチル−５−オキサペンタレン）（２−メチル−４−（４´−イソプロピルフェニルインデニル）ジルコニウムジクロリド、 ジメチルシランジイル（２−メチル−６−オキサペンタレン）（２−メチル−４−（４´−イソプロピルフェニルインデニル）ジルコニウムジクロリド、 ジメチルシランジイル（２，５−ジメチル−４−オキサペンタレン）（２−メチル−４−（４´−イソプロピルフェニルインデニル）ジルコニウムジクロリド、 ジメチルシランジイル（２，５−ジメチル−６−オキサペンタレン）（２−メチル−４−（４´−イソプロピルフェニルインデニル）ジルコニウムジクロリド、 ジメチルシランジイル（２−メチル−４−アザペンタレン）（２−メチル−４−（４´−ｎ−ブチルフェニルインデニル）ジルコニウムジクロリド、 ジメチルシランジイル（２−メチル−５−アザペンタレン）（２−メチル−４−（４´−ｎ−ブチルフェニルインデニル）ジルコニウムジクロリド、 ジメチルシランジイル（２−メチル−６−アザペンタレン）（２−メチル−４−（４´−ｎ−ブチルフェニルインデニル）ジルコニウムジクロリド、 ジメチルシランジイル（２−メチル−Ｎ−フェニル−４−アザペンタレン）（２−メチル−４−（４´−ｎ−ブチルフェニルインデニル）ジルコニウムジクロリド、 ジメチルシランジイル（２−メチル−Ｎ−フェニル−５−アザペンタレン）（２−メチル−４−（４´−ｎ−ブチルフェニルインデニル）ジルコニウムジクロリド、 ジメチルシランジイル（２−メチル−Ｎ−フェニル−６−アザペンタレン）（２−メチル−４−（４´−ｎ−ブチルフェニルインデニル）ジルコニウムジクロリド、 ジメチルシランジイル（２，５−ジメチル−４−アザペンタレン）（２−メチル−４−（４´−ｎ−ブチルフェニルインデニル）ジルコニウムジクロリド、 ジメチルシランジイル（２，５−ジメチル−６−アザペンタレン）（２−メチル−４−（４´−ｎ−ブチルフェニルインデニル）ジルコニウムジクロリド、 ジメチルシランジイル（２，５−ジメチル−Ｎ−フェニル−４−アザペンタレン）（２−メチル−４−（４´−ｎ−ブチルフェニルインデニル）ジルコニウムジクロリド、 ジメチルシランジイル（２，５−ジメチル−Ｎ−フェニル−６−アザペンタレン）（２−メチル−４−（４´−ｎ−ブチルフェニルインデニル）ジルコニウムジクロリド、 ジメチルシランジイル（２−メチル−４−チアペンタレン）（２−メチル−４−（４´−ｎ−ブチルフェニルインデニル）ジルコニウムジクロリド、 ジメチルシランジイル（２−メチル−５−チアペンタレン）（２−メチル−４−（４´−ｎ−ブチルフェニルインデニル）ジルコニウムジクロリド、 ジメチルシランジイル（２−メチル−６−チアペンタレン）（２−メチル−４−（４´−ｎ−ブチルフェニルインデニル）ジルコニウムジクロリド、 ジメチルシランジイル（２，５−ジメチル−４−チアペンタレン）（２−メチル−４−（４´−ｎ−ブチルフェニルインデニル）ジルコニウムジクロリド、 ジメチルシランジイル（２，５−ジメチル−６−チアペンタレン）（２−メチル−４−（４´−ｎ−ブチルフェニルインデニル）ジルコニウムジクロリド、 ジメチルシランジイル（２−メチル−４−オキサペンタレン）（２−メチル−４−（４´−ｎ−ブチルフェニルインデニル）ジルコニウムジクロリド、 ジメチルシランジイル（２−メチル−５−オキサペンタレン）（２−メチル−４−（４´−ｎ−ブチルフェニルインデニル）ジルコニウムジクロリド、 ジメチルシランジイル（２−メチル−６−オキサペンタレン）（２−メチル−４−（４´−ｎ−ブチルフェニルインデニル）ジルコニウムジクロリド、 ジメチルシランジイル（２，５−ジメチル−４−オキサペンタレン）（２−メチル−４−（４´−ｎ−ブチルフェニルインデニル）ジルコニウムジクロリド、 ジメチルシランジイル（２，５−ジメチル−６−オキサペンタレン）（２−メチル−４−（４´−ｎ−ブチルフェニルインデニル）ジルコニウムジクロリド、 ジメチルシランジイル（２−メチル−４−アザペンタレン）（２−メチル−４−（４´−ｓ−ブチルフェニルインデニル）ジルコニウムジクロリド、 ジメチルシランジイル（２−メチル−５−アザペンタレン）（２−メチル−４−（４´−ｓ−ブチルフェニルインデニル）ジルコニウムジクロリド、 ジメチルシランジイル（２−メチル−６−アザペンタレン）（２−メチル−４−（４´−ｓ−ブチルフェニルインデニル）ジルコニウムジクロリド、 ジメチルシランジイル（２−メチル−Ｎ−フェニル−４−アザペンタレン）（２−メチル−４−（４´−ｓ−ブチルフェニルインデニル）ジルコニウムジクロリド、 ジメチルシランジイル（２−メチル−Ｎ−フェニル−５−アザペンタレン）（２−メチル−４−（４´−ｓ−ブチルフェニルインデニル）ジルコニウムジクロリド、 ジメチルシランジイル（２−メチル−Ｎ−フェニル−６−アザペンタレン）（２−メチル−４−（４´−ｓ−ブチルフェニルインデニル）ジルコニウムジクロリド、 ジメチルシランジイル（２，５−ジメチル−４−アザペンタレン）（２−メチル−４−（４´−ｓ−ブチルフェニルインデニル）ジルコニウムジクロリド、 ジメチルシランジイル（２，５−ジメチル−６−アザペンタレン）（２−メチル−４−（４´−ｓ−ブチルフェニルインデニル）ジルコニウムジクロリド、 ジメチルシランジイル（２，５−ジメチル−Ｎ−フェニル−４−アザペンタレン）（２−メチル−４−（４´−ｓ−ブチルフェニルインデニル）ジルコニウムジクロリド、 ジメチルシランジイル（２，５−ジメチル−Ｎ−フェニル−６−アザペンタレン）（２−メチル−４−（４´−ｓ−ブチルフェニルインデニル）ジルコニウムジクロリド、 ジメチルシランジイル（２−メチル−４−チアペンタレン）（２−メチル−４−（４´−ｓ−ブチルフェニルインデニル）ジルコニウムジクロリド、 ジメチルシランジイル（２−メチル−５−チアペンタレン）（２−メチル−４−（４´−ｓ−ブチルフェニル���ンデニル）ジルコニウムジクロリド、 ジメチルシランジイル（２−メチル−６−チアペンタレン）（２−メチル−４−（４´−ｓ−ブチルフェニルインデニル）ジルコニウムジクロリド、 ジメチルシランジイル（２，５−ジメチル−４−チアペンタレン）（２−メチル−４−（４´−ｓ−ブチルフェニルインデニル）ジルコニウムジクロリド、 ジメチルシランジイル（２，５−ジメチル−６−チアペンタレン）（２−メチル−４−（４´−ｓ−ブチルフェニルインデニル）ジルコニウムジクロリド、 ジメチルシランジイル（２−メチル−４−オキサペンタレン）（２−メチル−４−（４´−ｓ−ブチルフェニルインデニル）ジルコニウムジクロリド、 ジメチルシランジイル（２−メチル−５−オキサペンタレン）（２−メチル−４−（４´−ｓ−ブチルフェニルインデニル）ジルコニウムジクロリド、 ジメチルシランジイル（２−メチル−６−オキサペンタレン）（２−メチル−４−（４´−ｓ−ブチルフェニルインデニル）ジルコニウムジクロリド、 ジメチルシランジイル（２，５−ジメチル−４−オキサペンタレン）（２−メチル−４−（４´−ｓ−ブチルフェニルインデニル）ジルコニウムジクロリド、 ジメチルシランジイル（２，５−ジメチル−６−オキサペンタレン）（２−メチル−４−（４´−ｓ−ブチルフェニルインデニル）ジルコニウムジクロリド、 ジメチルシランジイル（２−メチル−４−アザペンタレン）（２−メチル−４−（４´−ｔｅｒｔ−ブチルフェニルインデニル）ジルコニウムジクロリド、 ジメチルシランジイル（２−メチル−５−アザペンタレン）（２−メチル−４−（４´−ｔｅｒｔ−ブチルフェニルインデニル）ジルコニウムジクロリド、 ジメチルシランジイル（２−メチル−６−アザペンタレン）（２−メチル−４−（４´−ｔｅｒｔ−ブチルフェニルインデニル）ジルコニウムジクロリド、 ジメチルシランジイル（２−メチル−Ｎ−フェニル−４−アザペンタレン）（２−メチル−４−（４´−ｔｅｒｔ−ブチルフェニルインデニル）ジルコニウムジクロリド、 ジメチルシランジイル（２−メチル−Ｎ−フェニル−５−アザペンタレン）（２−メチル−４−（４´−ｔｅｒｔ−ブチルフェニルインデニル）ジルコニウムジクロリド、 ジメチルシランジイル（２−メチル−Ｎ−フェニル−６−アザペンタレン）（２−メチル−４−（４´−ｔｅｒｔ−ブチルフェニルインデニル）ジルコニウムジクロリド、 ジメチルシランジイル（２，５−ジメチル−４−アザペンタレン）（２−メチル−４−（４´−ｔｅｒｔ−ブチルフェニルインデニル）ジルコニウムジクロリド、 ジメチルシランジイル（２，５−ジメチル−６−アザペンタレン）（２−メチル−４−（４´−ｔｅｒｔ−ブチルフェニルインデニル）ジルコニウムジクロリド、 ジメチルシランジイル（２，５−ジメチル−Ｎ−フェニル−４−アザペンタレン）（２−メチル−４−（４´−ｔｅｒｔ−ブチルフェニルインデニル）ジルコニウムジクロリド、 ジメチルシランジイル（２，５−ジメチル−Ｎ−フェニル−６−アザペンタレン）（２−メチル−４−（４´−ｔｅｒｔ−ブチルフェニルインデニル）ジルコニウムジクロリド、 ジメチルシランジイル（２−メチル−４−チアペンタレン）（２−メチル−４−（４´−ｔｅｒｔ−ブチ���フェニルインデニル）ジルコニウムジクロリド、 ジメチルシランジイル（２−メチル−５−チアペンタレン）（２−メチル−４−（４´−ｔｅｒｔ−ブチルフェニルインデニル）ジルコニウムジクロリド、 ジメチルシランジイル（２−メチル−６−チアペンタレン）（２−メチル−４−（４´−ｔｅｒｔ−ブチルフェニルインデニル）ジルコニウムジクロリド、 ジメチルシランジイル（２，５−ジメチル−４−チアペンタレン）（２−メチル−４−（４´−ｔｅｒｔ−ブチルフェニルインデニル）ジルコニウムジクロリド、 ジメチルシランジイル（２，５−ジメチル−６−チアペンタレン）（２−メチル−４−（４´−ｔｅｒｔ−ブチルフェニルインデニル）ジルコニウムジクロリド、 ジメチルシランジイル（２−メチル−４−オキサペンタレン）（２−メチル−４−（４´−ｔｅｒｔ−ブチルフェニルインデニル）ジルコニウムジクロリド、 ジメチルシランジイル（２−メチル−５−オキサペンタレン）（２−メチル−４−（４´−ｔｅｒｔ−ブチルフェニルインデニル）ジルコニウムジクロリド、 ジメチルシランジイル（２−メチル−６−オキサペンタレン）（２−メチル−４−（４´−ｔｅｒｔ−ブチルフェニルインデニル）ジルコニウムジクロリド、 ジメチルシランジイル（２，５−ジメチル−４−オキサペンタレン）（２−メチル−４−（４´−ｔｅｒｔ−ブチルフェニルインデニル）ジルコニウムジクロリド、 ジメチルシランジイル（２，５−ジメチル−６−オキサペンタレン）（２−メチル−４−（４´−ｔｅｒｔ−ブチルフェニルインデニル）ジルコニウムジクロリド、 ジメチルシランジイル（２−メチル−４−アザペンタレン）（２−メチル−４−（４´−ｎ−ペンチルフェニルインデニル）ジルコニウムジクロリド、 ジメチルシランジイル（２−メチル−５−アザペンタレン）（２−メチル−４−（４´−ｎ−ペンチルフェニルインデニル）ジルコニウムジクロリド、 ジメチルシランジイル（２−メチル−６−アザペンタレン）（２−メチル−４−（４´−ｎ−ペンチルフェニルインデニル）ジルコニウムジクロリド、 ジメチルシランジイル（２−メチル−Ｎ−フェニル−４−アザペンタレン）（２−メチル−４−（４´−ｎ−ペンチルフェニルインデニル）ジルコニウムジクロリド、 ジメチルシランジイル（２−メチル−Ｎ−フェニル−５−アザペンタレン）（２−メチル−
４−（４´−ｎ−ペンチルフェニルインデニル）ジルコニウムジクロリド、 ジメチルシランジイル（２−メチル−Ｎ−フェニル−６−アザペンタレン）（２−メチル−４−（４´−ｎ−ペンチルフェニルインデニル）ジルコニウムジクロリド、 ジメチルシランジイル（２，５−ジメチル−４−アザペンタレン）（２−メチル−４−（４´−ｎ−ペンチルフェニルインデニル）ジルコニウムジクロリド、 ジメチルシランジイル（２，５−ジメチル−６−アザペンタレン）（２−メチル−４−（４´−ｎ−ペンチルフェニルインデニル）ジルコニウムジクロリド、 ジメチルシランジイル（２，５−ジメチル−Ｎ−フェニル−４−アザペンタレン）（２−メチル−４−（４´−ｎ−ペンチルフェニルインデニル）ジルコニウムジクロリド、 ジメチルシランジイル（２，５−ジメチル−Ｎ−フェニル−６−アザペンタレン）（２−メチル−４−（４´−ｎ−ペンチルフェニルインデニル）ジルコニウムジクロリド、 ジメチルシランジイル（２−メチル−４−チアペンタレン）（２−メチル−４−（４´−ｎ−ペンチルフェニルインデニル）ジルコニウムジクロリド、 ジメチルシランジイル（２−メチル−５−チアペンタレン）（２−メチル−４−（４´−ｎ−ペンチルフェニルインデニル）ジルコニウムジクロリド、 ジメチルシランジイル（２−メチル−６−チアペンタレン）（２−メチル−４−（４´−ｎ−ペンチルフェニルインデニル）ジルコニウムジクロリド、 ジメチルシランジイル（２，５−ジメチル−４−チアペンタレン）（２−メチル−４−（４´−ｎ−ペンチルフェニルインデニル）ジルコニウムジクロリド、 ジメチルシランジイル（２，５−ジメチル−６−チアペンタレン）（２−メチル−４−（４´−ｎ−ペンチルフェニルインデニル）ジルコニウムジクロリド、 ジメチルシランジイル（２−メチル−４−オキサペンタレン）（２−メチル−４−（４´−ｎ−ペンチルフェニルインデニル）ジルコニウムジクロリド、 ジメチルシランジイル（２−メチル−５−オキサペンタレン）（２−メチル−４−（４´−ｎ−ペンチルフェニルインデニル）ジルコニウムジクロリド、 ジメチルシランジイル（２−メチル−６−オキサペンタレン）（２−メチル−４−（４´−ｎ−ペンチルフェニルインデニル）ジルコニウムジクロリド、 ジメチルシランジイル（２，５−ジメチル−４−オキサペンタレン）（２−メチル−４−（４´−ｎ−ペンチルフェニルインデニル）ジルコニウムジクロリド、 ジメチルシランジイル（２，５−ジメチル−６−オキサペンタレン）（２−メチル−４−（４´−ｎ−ペンチルフェニルインデニル）ジルコニウムジクロリド、 ジメチルシランジイル（２−メチル−４−アザペンタレン）（２−メチル−４−（４´−ｎ−ヘキシルフェニルインデニル）ジルコニウムジクロリド、 ジメチルシランジイル（２−メチル−５−アザペンタレン）（２−メチル−４−（４´−ｎ−ヘキシルフェニルインデニル）ジルコニウムジクロリド、 ジメチルシランジイル（２−メチル−６−アザペンタレン）（２−メチル−４−（４´−ｎ−ヘキシルフェニルインデニル）ジルコニウムジクロリド、 ジメチルシランジイル（２−メチル−Ｎ−フェニル−４−アザペンタレン）（２−メチル−４−（４´−ｎ−ヘキシルフェニル���ンデニル）ジルコニウムジクロリド、 ジメチルシランジイル（２−メチル−Ｎ−フェニル−５−アザペンタレン）（２−メチル−４−（４´−ｎ−ヘキシルフェニルインデニル）ジルコニウムジクロリド、 ジメチルシランジイル（２−メチル−Ｎ−フェニル−６−アザペンタレン）（２−メチル−４−（４´−ｎ−ヘキシルフェニルインデニル）ジルコニウムジクロリド、 ジメチルシランジイル（２，５−ジメチル−４−アザペンタレン）（２−メチル−４−（４´−ｎ−ヘキシルフェニルインデニル）ジルコニウムジクロリド、 ジメチルシランジイル（２，５−ジメチル−６−アザペンタレン）（２−メチル−４−（４´−ｎ−ヘキシルフェニルインデニル）ジルコニウムジクロリド、 ジメチルシランジイル（２，５−ジメチル−Ｎ−フェニル−４−アザペンタレン）（２−メチル−４−（４´−ｎ−ヘキシルフェニルインデニル）ジルコニウムジクロリド、 ジメチルシランジイル（２，５−ジメチル−Ｎ−フェニル−６−アザペンタレン）（２−メチル−４−（４´−ｎ−ヘキシルフェニルインデニル）ジルコニウムジクロリド、 ジメチルシランジイル（２−メチル−４−チアペンタレン）（２−メチル−４−（４´−ｎ−ヘキシルフェニルインデニル）ジルコニウムジクロリド、 ジメチルシランジイル（２−メチル−５−チアペンタレン）（２−メチル−４−（４´−ｎ−ヘキシルフェニルインデニル）ジルコニウムジクロリド、 ジメチルシランジイル（２−メチル−６−チアペンタレン）（２−メチル−４−（４´−ｎ−ヘキシルフェニルインデニル）ジルコニウムジクロリド、 ジメチルシランジイル（２，５−ジメチル−４−チアペンタレン）（２−メチル−４−（４´−ｎ−ヘキシルフェニルインデニル）ジルコニウムジクロリド、 ジメチルシランジイル（２，５−ジメチル−６−チアペンタレン）（２−メチル−４−（４´−ｎ−ヘキシルフェニルインデニル）ジルコニウムジクロリド、 ジメチルシランジイル（２−メチル−４−オキサペンタレン）（２−メチル−４−（４´−ｎ−ヘキシルフェニルインデニル）ジルコニウムジクロリド、 ジメチルシランジイル（２−メチル−５−オキサペンタレン）（２−メチル−４−（４´−ｎ−ヘキシルフェニルインデニル）ジルコニウムジクロリド、 ジメチルシランジイル（２−メチル−６−オキサペンタレン）（２−メチル−４−（４´−ｎ−ヘキシルフェニルインデニル）ジルコニウムジクロリド、 ジメチルシランジイル（２，５−ジメチル−４−オキサペンタレン）（２−メチル−４−（４´−ｎ−ヘキシルフェニルインデニル）ジルコニウムジクロリド、 ジメチルシランジイル（２，５−ジメチル−６−オキサペンタレン）（２−メチル−４−（４´−ｎ−ヘキシルフェニルインデニル）ジルコニウムジクロリド、 ジメチルシランジイル（２−メチル−４−アザペンタレン）（２−メチル−４−（４´−シクロヘキシルフェニルインデニル）ジルコニウムジクロリド、 ジメチルシランジイル（２−メチル−５−アザペンタレン）（２−メチル−４−（４´−シクロヘキシルフェニルインデニル）ジルコニウムジクロリド、 ジメチルシランジイル（２−メチル−６−アザペンタレン）（２−メチル−４−（４´−シクロヘキシルフェニルインデニル）ジルコニウムジ���ロリド、 ジメチルシランジイル（２−メチル−Ｎ−フェニル−４−アザペンタレン）（２−メチル−４−（４´−シクロヘキシルフェニルインデニル）ジルコニウムジクロリド、 ジメチルシランジイル（２−メチル−Ｎ−フェニル−５−アザペンタレン）（２−メチル−４−（４´−シクロヘキシルフェニルインデニル）ジルコニウムジクロリド、 ジメチルシランジイル（２−メチル−Ｎ−フェニル−６−アザペンタレン）（２−メチル−４−（４´−シクロヘキシルフェニルインデニル）ジルコニウムジクロリド、 ジメチルシランジイル（２，５−ジメチル−４−アザペンタレン）（２−メチル−４−（４´−シクロヘキシルフェニルインデニル）ジルコニウムジクロリド、 ジメチルシランジイル（２，５−ジメチル−６−アザペンタレン）（２−メチル−４−（４´−シクロヘキシルフェニルインデニル）ジルコニウムジクロリド、 ジメチルシランジイル（２，５−ジメチル−Ｎ−フェニル−４−アザペンタレン）（２−メチル−４−（４´−シクロヘキシルフェニルインデニル）ジルコニウムジクロリド、 ジメチルシランジイル（２，５−ジメチル−Ｎ−フェニル−６−アザペンタレン）（２−メチル−４−（４´−シクロヘキシルフェニルインデニル）ジルコニウムジクロリド、 ジメチルシランジイル（２−メチル−４−チアペンタレン）（２−メチル−４−（４´−シクロヘキシルフェニルインデニル）ジルコニウムジクロリド、 ジメチルシランジイル（２−メチル−５−チアペンタレン）（２−メチル−４−（４´−シクロヘキシルフェニルインデニル）ジルコニウムジクロリド、 ジメチルシランジイル（２−メチル−６−チアペンタレン）（２−メチル−４−（４´−シクロヘキシルフェニルインデニル）ジルコニウムジクロリド、 ジメチルシランジイル（２，５−ジメチル−４−チアペンタレン）（２−メチル−４−（４´−シクロヘキシルフェニルインデニル）ジルコニウムジクロリド、 ジメチルシランジイル（２，５−ジメチル−６−チアペンタレン）（２−メチル−４−（４´−シクロヘキシルフェニルインデニル）ジルコニウムジクロリド、 ジメチルシランジイル（２−メチル−４−オキサペンタレン）（２−メチル−４−（４´−シクロヘキシルフェニルインデニル）ジルコニウムジクロリド、 ジメチルシランジイル（２−メチル−５−オキサペンタレン）（２−メチル−４−（４´−シクロヘキシルフェニルインデニル）ジルコニウムジクロリド、 ジメチルシランジイル（２−メチル−６−オキサペンタレン）（２−メチル−４−（４´−シクロヘキシルフェニルインデニル）ジルコニウムジクロリド、 ジメチルシランジイル（２，５−ジメチル−４−オキサペンタレン）（２−メチル−４−（４´−シクロヘキシルフェニルインデニル）ジルコニウムジクロリド、 ジメチルシランジイル（２，５−ジメチル−６−オキサペンタレン）（２−メチル−４−（４´−シクロヘキシルフェニルインデニル）ジルコニウムジクロリド、 ジメチルシランジイル（２−メチル−４−アザペンタレン）（２−メチル−４−（４´−トリメチルシリルフェニルインデニル）ジルコニウムジクロリド、 ジメチルシランジイル（２−メチル−５−アザペンタレン）（２−メチル−４−（４´−トリメチルシリルフェニルイ���デニル）ジルコニウムジクロリド、 ジメチルシランジイル（２−メチル−６−アザペンタレン）（２−メチル−４−（４´−トリメチルシリルフェニルインデニル）ジルコニウムジクロリド、 ジメチルシランジイル（２−メチル−Ｎ−フェニル−４−アザペンタレン）（２−メチル−４−（４´−トリメチルシリルフェニルインデニル）ジルコニウムジクロリド、 ジメチルシランジイル（２−メチル−Ｎ−フェニル−５−アザペンタレン）（２−メチル−４−（４´−トリメチルシリルフェニルインデニル）ジルコニウムジクロリド、 ジメチルシランジイル（２−メチル−Ｎ−フェニル−６−アザペンタレン）（２−メチル−４−（４´−トリメチルシリルフェニルインデニル）ジルコニウムジクロリド、 ジメチルシランジイル（２，５−ジメチル−４−アザペンタレン）（２−メチル−４−（４´−トリメチルシリルフェニルインデニル）ジルコニウムジクロリド、 ジメチルシランジイル（２，５−ジメチル−６−アザペンタレン）（２−メチル−４−（４´−トリメチルシリルフェニルインデニル）ジルコニウムジクロリド、 ジメチルシランジイル（２，５−ジメチル−Ｎ−フェニル−４−アザペンタレン）（２−メチル−４−（４´−トリメチルシリルフェニルインデニル）ジルコニウムジクロリド、 ジメチルシランジイル（２，５−ジメチル−Ｎ−フェニル−６−アザペンタレン）（２−メチル−４−（４´−トリメチルシリルフェニルインデニル）ジルコニウムジクロリド、 ジメチルシランジイル（２−メチル−４−チアペンタレン）（２−メチル−４−（４´−トリメチルシリルフェニルインデニル）ジルコニウムジクロリド、 ジメチルシランジイル（２−メチル−５−チアペンタレン）（２−メチル−４−（４´−トリメチルシリルフェニルインデニル）ジルコニウムジクロリド、 ジメチルシランジイル（２−メチル−６−チアペンタレン）（２−メチル−４−（４´−トリメチルシリルフェニルインデニル）ジルコニウムジクロリド、 ジメチルシランジイル（２，５−ジメチル−４−チアペンタレン）（２−メチル−４−（４´−トリメチルシリルフェニルインデニル）ジルコニウムジクロリド、 ジメチルシランジイル（２，５−ジメチル−６−チアペンタレン）（２−メチル−４−（４´−トリメチルシリルフェニルインデニル）ジルコニウムジクロリド、 ジメチルシランジイル
（２−メチル−４−オキサペンタレン）（２−メチル−４−（４´−トリメチルシリルフェニルインデニル）ジルコニウムジクロリド、 ジメチルシランジイル（２−メチル−５−オキサペンタレン）（２−メチル−４−（４´−トリメチルシリルフェニルインデニル）ジルコニウムジクロリド、 ジメチルシランジイル（２−メチル−６−オキサペンタレン）（２−メチル−４−（４´−トリメチルシリルフェニルインデニル）ジルコニウムジクロリド、 ジメチルシランジイル（２，５−ジメチル−４−オキサペンタレン）（２−メチル−４−（４´−トリメチルシリルフェニルインデニル）ジルコニウムジクロリド、 ジメチルシランジイル（２，５−ジメチル−６−オキサペンタレン）（２−メチル−４−（４´−トリメチルシリルフェニルインデニル）ジルコニウムジクロリド、 ジメチルシランジイル（２−メチル−４−アザペンタレン）（２−メチル−４−（４´−アダマンチルフェニルインデニル）ジルコニウムジクロリド、 ジメチルシランジイル（２−メチル−５−アザペンタレン）（２−メチル−４−（４´−アダマンチルフェニルインデニル）ジルコニウムジクロリド、 ジメチルシランジイル（２−メチル−６−アザペンタレン）（２−メチル−４−（４´−アダマンチルフェニルインデニル）ジルコニウムジクロリド、 ジメチルシランジイル（２−メチル−Ｎ−フェニル−４−アザペンタレン）（２−メチル−４−（４´−アダマンチルフェニルインデニル）ジルコニウムジクロリド、 ジメチルシランジイル（２−メチル−Ｎ−フェニル−５−アザペンタレン）（２−メチル−４−（４´−アダマンチルフェニルインデニル）ジルコニウムジクロリド、 ジメチルシランジイル（２−メチル−Ｎ−フェニル−６−アザペンタレン）（２−メチル−４−（４´−アダマンチルフェニルインデニル）ジルコニウムジクロリド、 ジメチルシランジイル（２，５−ジメチル−４−アザペンタレン）（２−メチル−４−（４´−アダマンチルフェニルインデニル）ジルコニウムジクロリド、 ジメチルシランジイル（２，５−ジメチル−６−アザペンタレン）（２−メチル−４−（４´−アダマンチルフェニルインデニル）ジルコニウムジクロリド、 ジメチルシランジイル（２，５−ジメチル−４−アザペンタレン）（２−メチル−４−（４´−アダマンチルフェニルインデニル）ジルコニウムジクロリド、 ジメチルシランジイル（２，５−ジメチル−Ｎ−フェニル−４−アザペンタレン）（２−メチル−４−（４´−アダマンチルフェニルインデニル）ジルコニウムジクロリド、 ジメチルシランジイル（２，５−ジメチル−Ｎ−フェニル−６−アザペンタレン）（２−メチル−４−（４´−アダマンチルフェニルインデニル）ジルコニウムジクロリド、 ジメチルシランジイル（２−メチル−４−チアペンタレン）（２−メチル−４−（４´−アダマンチルフェニルインデニル）ジルコニウムジクロリド、 ジメチルシランジイル（２−メチル−５−チアペンタレン）（２−メチル−４−（４´−アダマンチルフェニルインデニル）ジルコニウムジクロリド、 ジメチルシランジイル（２−メチル−６−チアペンタレン）（２−メチル−４−（４´−アダマンチルフェニルインデニル）ジルコニウムジクロリド、 ジメチルシランジイル（２，５−ジメチル−４−チアペンタレン）（２−メチル−４−（４´−アダマンチルフェニルインデニル）ジルコニウムジクロリド、 ジメチルシランジイル（２，５−ジメチル−６−チアペンタレン）（２−メチル−４−（４´−アダマンチルフェニルインデニル）ジルコニウムジクロリド、 ジメチルシランジイル（２−メチル−４−オキサペンタレン）（２−メチル−４−（４´−アダマンチルフェニルインデニル）ジルコニウムジクロリド、 ジメチルシランジイル（２−メチル−５−オキサペンタレン）（２−メチル−４−（４´−アダマンチルフェニルインデニル）ジルコニウムジクロリド、 ジメチルシランジイル（２−メチル−６−オキサペンタレン）（２−メチル−４−（４´−アダマンチルフェニルインデニル）ジルコニウムジクロリド、 ジメチルシランジイル（２，５−ジメチル−４−オキサペンタレン）（２−メチル−４−（４´−アダマンチルフェニルインデニル）ジルコニウムジクロリド、 ジメチルシランジイル（２，５−ジメチル−６−オキサペンタレン）（２−メチル−４−（４´−アダマンチルフェニルインデニル）ジルコニウムジクロリド、 ジメチルシランジイル（２−メチル−４−アザペンタレン）（２−メチル−４−（４´−トリス（トリフルオロメチル）メチルフェニルインデニル）ジルコニウムジクロリド、 ジメチルシランジイル（２−メチル−５−アザペンタレン）（２−メチル−４−（４´−トリス（トリフルオロメチル）メチルフェニルインデニル）ジルコニウムジクロリド、 ジメチルシランジイル（２−メチル−６−アザペンタレン）（２−メチル−４−（４´−トリス（トリフルオロメチル）メチルフェニルインデニル）ジルコニウムジクロリド、 ジメチルシランジイル（２−メチル−Ｎ−フェニル−４−アザペンタレン）（２−メチル−４−（４´−トリス（トリフルオロメチル）メチルフェニルインデニル）ジルコニウムジクロリド、 ジメチルシランジイル（２−メチル−Ｎ−フェニル−５−アザペンタレン）（２−メチル−４−（４´−トリス（トリフルオロメチル）メチルフェニルインデニル）ジルコニウムジクロリド、 ジメチルシランジイル（２−メチル−Ｎ−フェニル−６−アザペンタレン）（２−メチル−４−（４´−トリス（トリフルオロメチル）メチルフェニルインデニル）ジルコニウムジクロリド、 ジメチルシランジイル（２，５−ジメチル−４−アザペンタレン）（２−メチル−４−（４´−トリス（トリフルオロメチル）メチルフェニルインデニル）ジルコニウムジクロリド、 ジメチルシランジイル（２，５−ジメチル−６−アザペンタレン）（２−メチル−４−（４´−トリス（トリフルオロメチル）メチルフェニルインデニル）ジルコニウムジクロリド、 ジメチルシランジイル（２，５−ジメチル−Ｎ−フェニル−４−アザペンタレン）（２−メチル−４−（４´−トリス（トリフルオロメチル）メチルフェニルインデニル）ジルコニウムジクロリド、 ジメチルシランジイル（２，５−ジメチル−Ｎ−フェニル−６−アザペンタレン）（２−メチル−４−（４´−トリス（トリフルオロメチル）メチルフェニルインデニル）ジルコニウムジクロリド、 ジメチルシランジイル（２−メチル−４−チアペンタレン）（２−メチル−４−（４´−トリス（トリフ���オロメチル）メチルフェニルインデニル）ジルコニウムジクロリド、 ジメチルシランジイル（２−メチル−５−チアペンタレン）（２−メチル−４−（４´−トリス（トリフルオロメチル）メチルフェニルインデニル）ジルコニウムジクロリド、 ジメチルシランジイル（２−メチル−６−チアペンタレン）（２−メチル−４−（４´−トリス（トリフルオロメチル）メチルフェニルインデニル）ジルコニウムジクロリド、 ジメチルシランジイル（２，５−ジメチル−４−チアペンタレン）（２−メチル−４−（４´−トリス（トリフルオロメチル）メチルフェニルインデニル）ジルコニウムジクロリド、 ジメチルシランジイル（２，５−ジメチル−６−チアペンタレン）（２−メチル−４−（４´−トリス（トリフルオロメチル）メチルフェニルインデニル）ジルコニウムジクロリド、 ジメチルシランジイル（２−メチル−４−オキサペンタレン）（２−メチル−４−（４´−トリス（トリフルオロメチル）メチルフェニルインデニル）ジルコニウムジクロリド、 ジメチルシランジイル（２−メチル−５−オキサペンタレン）（２−メチル−４−（４´−トリス（トリフルオロメチル）メチルフェニルインデニル）ジルコニウムジクロリド、 ジメチルシランジイル（２−メチル−６−オキサペンタレン）（２−メチル−４−（４´−トリス（トリフルオロメチル）メチルフェニルインデニル）ジルコニウムジクロリド、 ジメチルシランジイル（２，５−ジメチル−４−オキサペンタレン）（２−メチル−４−（４´−トリス（トリフルオロメチル）メチルフェニルインデニル）ジルコニウムジクロリド、 ジメチルシランジイル（２，５−ジメチル−６−オキサペンタレン）（２−メチル−４−（４´−トリス（トリフルオロメチル）メチルフェニルインデニル）ジルコニウムジクロリド、 ジメチルシランジイル（２−メチル−４−アザペンタレン）（２−エチル−４−（４´−ｔｅｒｔ−ブチルフェニルインデニル）ジルコニウムジクロリド、 ジメチルシランジイル（２−メチル−５，６−ジヒドロ−４−アザペンタレン）（２−エチル−４−（４´−ｔｅｒｔ−ブチルフェニルインデニル）ジルコニウムジクロリド、 ジメチルシランジイル（２−メチル−４−アザペンタレン）（２−エチル−４−（４´−ｔｅｒｔ−ブチルフェニルテトラヒドロインデニル）ジルコニウムジクロリド、 ジメチルシランジイル（２−メチル−５−アザペンタレン）（２−ｎ−ブチル−４−（４´−ｔｅｒｔ−ブチルフェニルインデニル）ジルコニウムジクロリド、 エチリデン（２−メチル−６−アザペンタレン）（２−メチル−４−（４´−ｔｅｒｔ−ブチルフェニルインデニル）ジルコニウムジクロリド、 ジメチルシランジイル（２−メチル−Ｎ−トリメチルシリル−４−アザペンタレン）（２−メチル−４−（４´−ｔｅｒｔ−ブチルフェニルインデニル）ジルコニウムジクロリド、 ジメチルシランジイル（２−メチル−Ｎ−トリル−５−アザペンタレン）（２−ｎ−プロピル−４−（４´−ｔｅｒｔ−ブチルフェニルインデニル）ジルコニウムジクロリド、 ジメチルゲルマンジイル（２−メチル−Ｎ−フェニル−６−アザペンタレン）（２−メチル−４−（４´−ｔｅｒｔ−ブチルフェニルインデニル）ジルコニウムジクロリド、 メチルエチリデン（２，５−ジメチル−４−アザペンタレン）（２−メチル−４−（４´−ｔｅｒｔ−ブチルフェニルインデニル）ジルコニウムジクロリド、 ジメチルシランジイル（２，５−ジイソプロピル−６−アザペンタレン）（２−メチル−４−（４´−ｔｅｒｔ−ブチルフェニルインデニル）ジルコニウムジクロリド、 ジメチルシランジイル（２，５−ジメチル−Ｎ−フェニル−４−アザペンタレン）（２，６−ジメチル−４−（４´−ｔｅｒｔ−ブチルフェニルインデニル）ジルコニウムジクロリド、 ジメチルシランジイル（２，５−ジメチル−Ｎ−フェニル−６−アザペンタレン）（２−メチル−４−（６´−ｔｅｒｔ−ブチルナフチルインデニル）ジルコニウムジクロリド、 ジメチルシランジイル（２，５−ジメチル−Ｎ−フェニル−６−アザペンタレン）（２−メチル−４−（６´−ｔｅｒｔ−ブチルアントラセニルインデニル）ジルコニウムジクロリド、 ジメチルシランジイル（２−メチル−４−ホスファペンタレン）（２−メチル−４−（４´−ｔｅｒｔ−ブチルフェニルインデニル）ジルコニウムジクロリド、 ジフェニルシランジイル（２−メチル−５−チアペンタレン）（２−メチル−４−（４´−ｔｅｒｔ−ブチルフェニルインデニル）ジルコニウムジクロリド、 メチルフェニルシランジイル（２−メチル−６−チアペンタレン）（２−メチル−４−（４´−ｔｅｒｔ−ブチルフェニルインデニル）ジルコニウムジクロリド、 メチリデン（２，５−ジメチル−４−チアペンタレン）（２−メチル−４−（４´−ｔｅｒｔ−ブチルフェニルインデニル）ジルコニウムジクロリド、 ジメチルメチリデン（２，５−ジメチル−６−チアペンタレン）（２−メチル−４−（４´−ｔｅｒｔ−ブチルフェニルインデニル）ジルコニウムジクロリド、 ジフェニルシランジイル（２，５−ジメチル−４−オキサペンタレン）（２−メチル−４−（４´−ｔｅｒｔ−ブチルフェニルインデニル）ジルコニウムジクロリド、 ジフェニルシランジイル（２，５−ジメチル−６−オキサペンタレン）（２−メチル−４−（４´−ｔｅｒｔ−ブチルフェニルインデニル）ジルコニウムジクロリド、または、２位および／または２位、５位が、エチル、ｎ−プロピル、イソプロピル、イソブチル、ｎ−ブチルまたはｓ−ブチルにより置換されている上述の化合物に対応する同族体のうちの一種。
【請求項８】
ポリオレフィンを製造するための、請求項１から７のいずれか１項に記載の式Ｉの化合物の使用。
【請求項９】
少なくとも１種の、請求項１から７のいずれか１項に記載の式Ｉのメタロセンと、少なくとも１種の助触媒および少なくとも１種の担体を含む触媒組成物。
【請求項１０】
さらに少なくとも一種の添加剤成分を含む請求項９に記載の触媒組成物。
【請求項１１】
請求項９または１０に記載の触媒組成物の製造のために、請求項１から７のいずれか１項に記載の式Ｉの化合物を使用する方法。
【請求項１２】
ポリオレフィンの製造のために請求項９または１０に記載の触媒組成物を使用する方法。
【請求項１３】
請求項９または１０に記載の触媒組成物の存在下で、１種以上のオレフィンを重合することによりポリオレフィンを製造する方法。